(57)【特許請求の範囲】
【請求項１】
物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成され、前記第２レンズ群Ｌ２は少なくとも、物体側から順にフォーカシング時に移動する負の屈折力のＬ２ａレンズ成分Ｌ２ａと、開口絞りＳＰを備えてフォーカシング時に像面に対して固定の正の屈折力のＬ２ｂレンズ成分Ｌ２ｂと、フォーカシング時に移動し、正の屈折力のＬ２ｃレンズ成分Ｌ２ｃを有し、少なくとも前記Ｌ２ａレンズ成分Ｌ２ａと前記Ｌ２ｃレンズ成分Ｌ２ｃの２つのレンズ群がフォーカシング時に移動し、前記第３レンズ群Ｌ３は負の屈折力のＬ３ａレンズ成分Ｌ３ａと正の屈折力のＬ３ｂレンズ成分Ｌ３ｂとから構成され、前記Ｌ３ａレンズ成分Ｌ３ａを光軸と直交方向に移動することによって像ブレの補正を行い、前記Ｌ３ａレンズ成分Ｌ３ａは少なくとも正レンズ１枚と負レンズ１枚を有し、下記条件式を満足することを特徴とするマクロレンズ。
（１）０．３５＜｜ｆＬ２ａ・ｆＬ２ｂ／ｆ２｜＜０．５５ 
（２）０．３５＜｜ｆＬ３ａ／ｆＬ３ｂ｜＜０．４７ 
ただし、 
ｆＬ２ａ：Ｌ２ａレンズ成分Ｌ２ａの焦点距離 
ｆＬ２ｂ：Ｌ２ｂレンズ成分Ｌ２ｂの焦点距離 
ｆＬ３ａ：Ｌ３ａレンズ成分Ｌ３ａの焦点距離 
ｆＬ３ｂ：Ｌ３ｂレンズ成分Ｌ３ｂの焦点距離 
ｆ：レンズ系全体の無限遠合焦状態における合成焦点距離
【請求項２】
下記条件式を満足することを特徴とする、請求項１に記載のマクロレンズ。
（３）２２．０＜νｄＬ２ｂ＜３６．０
ただし、
νｄＬ２ｂ：Ｌ２ｂレンズ成分Ｌ２ｂを構成する凸レンズの硝材のｄ線基準のアッベ数の最小値
【請求項３】
前記Ｌ２ｂレンズ成分Ｌ２ｂは１枚の正レンズからなることを特徴とする請求項１又は請求項２に記載のマクロレンズ。
【請求項４】
前記Ｌ３ｂレンズ成分Ｌ３ｂは少なくとも２枚の正レンズと１枚の負レンズを含んで構成され、下記の条件を満足することを特徴とする請求項１乃至請求項３のいずれか一項に記載のマクロレンズ。
（４）０．８５＜ｎｄＬ３ｂｐｌ／ｎｄＬ３ｂｎｈ＜０．９７
（５）２０＜νｄＬ３ｂｐｌ−νｄＬ３ｂｎｈ
ただし、
ｎｄＬ３ｂｐｌ：Ｌ３ｂレンズ成分Ｌ３ｂ中の正レンズの屈折率の最小値
ｎｄＬ３ｂｎｈ：Ｌ３ｂレンズ成分Ｌ３ｂ中の負レンズの屈折率の最大値
νｄＬ３ｂｐｌ：Ｌ３ｂレンズ成分Ｌ３ｂ中の正レンズのアッベ数の最小値
νｄＬ３ｂｎｈ：Ｌ３ｂレンズ成分Ｌ３ｂ中の負レンズのアッベ数の最大値
【発明の詳細な説明】
【技術分野】
【０００１】
本発明はスチルカメラやビデオカメラ等に好適なマクロレンズに関する。特に撮影倍率１：２以上の高い倍率での撮影が可能で、かつ防振機構を備えた、対角線画角２０°〜２５°程度のマクロレンズに関する。
【背景技術】
【０００２】
従来、撮影倍率が１：２から１：１程度の近距離撮影を行うことを主な目的とした、いわゆるマクロレンズと呼ばれる光学系がある。
【０００３】
多くのマクロレンズは無限遠物体から撮影倍率が１：１程度の近距離物体まで連続的に合焦可能であり、撮影距離の全域で収差変動が少なく、高い結像性能を発揮するように設計される。
【０００４】
従来、フォーカシングに伴う収差変動を極力抑制するため、フォーカシング時に２つ以上のレンズ群が移動する、いわゆるフローティングを行うことで、撮影距離全域での非点収差の変動を抑制することが一般に行われるようになった。
【０００５】
また、従来は、最も物体側のレンズ群をフォーカシング時に移動するためフォーカシングによってレンズ全長が変わってしまうフロントフォーカスが採用されていたが、近年では、最も物体側のレンズ群をフォーカシング時に固定とするインナーフォーカスが採用され、フォーカシングによって全長が変わらないために操作性が向上したマクロレンズが提案されてきた。
【０００６】
上記のような、インナーフォーカスを採用し、かつ、フォーカシング時にはフローティングを行うマクロレンズの代表的な例として、物体側から順に、フォーカシング時に固定の正の屈折力の第１レンズ群、負の屈折力の第２レンズ群、フォーカシング時に固定の開口絞り、正の屈折力の第３レンズ群、フォーカシング時に固定の負の屈折力の第４レンズ群を備え、無限遠から近距離へのフォーカシング時に第２レンズ群が像側へ、第３レンズ群が物体側へ、それぞれ移動する構成が知られている。
【０００７】
ところで、マクロレンズにおいては、撮影倍率が大きくなるに従って、撮影者の手ブレに因る像ブレへの影響が大きくなることが知られている。
【０００８】
撮影倍率が高い場合には被写界深度が極めて浅くなるため、絞りを絞って被写界深度を深くして撮影する機会が多いが、被写体の照度が同じであればより露出時間を長くする必要がある。
【０００９】
そのため、撮影倍率が高い場合には、記録される像のシャープネスが像ブレによって損なわれることが多かった。また、像ブレを防止するためにカメラを三脚に固定して撮影することが多く行われてきたが、三脚は携行に難が有る。更に、近年では三脚の使用を禁止された撮影場所が増えてきている。
【００１０】
そのため、レンズ系の一部を光軸と直交する方向にシフトさせることによって、像ブレの補正（防振）を行い、インナーフォーカスでフローティングを行う、等倍程度までの撮影が可能な光学系が特許文献１から特許文献３などに提案されている。
【先行技術文献】
【特許文献】
【００１１】
【特許文献１】特開２００３−３２９９１９号公報
【００１２】
【特許文献２】特開２００６−１０６１１２号公報
【００１３】
【特許文献３】特開２００９−２８８３８４号公報
【発明の概要】
【発明が解決しようとする課題】
【００１４】
マクロレンズにおいては、フォーカシングに伴う諸収差の変動を抑制することが課題となる。
【００１５】
マクロレンズでは、無限遠から近距離へのフォーカシングに伴って軸上および倍率色収差が拡大され、非点収差に加えてコマ収差等の変動が大きくなりがちである。これらは画質低下の原因となってしまうため、収差変動の少ない構成をとる必要がある。
【００１６】
更に、レンズ系の一部のレンズ群を光軸と直交する方向にシフトして像ブレの補正を行う場合においては、防振群をシフトした際に非点収差の変動が起こるため、標準状態において従来よりも高度な非点収差の補正を行ない、更に防振状態のときの像面の変動を十分に抑制する必要がある。また、製造誤差による非点収差やコマ収差の変動も可能な限り抑制する必要がある。
【００１７】
特許文献１に記載の光学系は、防振群をシフトした際の像面の変動が極めて大きく、十分な補正が行われていない。
【００１８】
特許文献２に記載の光学系は、特に等倍付近において軸上色収差と球面収差が大きく発生してしまう。中でもｇ線の正の球面収差量が大きく発生しており、結果、青色のフレアが顕著に発生してしまう。また、コマ収差の補正が不十分で、更に防振時のコマ収差変動も大きいため、防振時に顕著な片ボケを生じてしまう。
【００１９】
特許文献３に記載の光学系は、等倍付近における軸上色収差が改善されているが、フォーカシングに伴うメリジオナル像面の変動が大きく、軸外でのｇ線のコマ収差が大きく発生して、青色のフレアが大きく発生する等、画質の問題がある。
【００２０】
本発明は１：２以上の高い倍率での撮影が可能で、かつ防振機構を備えた、対角線画角２０°〜２５°程度のマクロレンズであって、構成の複雑化やレンズ枚数の増加を避けながら、フォーカシングに伴う非点収差、軸上色収差や軸外での色フレアの発生を抑制し、防振時の像面の変動を十分に抑制し、より一層すぐれた画質を達成できるマクロレンズを提供することを目的とする。
【課題を解決するための手段】
【００２１】
本発明に記載のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成され、第２レンズ群Ｌ２は少なくとも、物体側から順にフォーカシング時に移動する負の屈折力のＬ２ａレンズ成分Ｌ２ａと、開口絞りＳＰを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃを有し、少なくともＬ２ａレンズ成分Ｌ２ａとＬ２ｃレンズ成分Ｌ２ｃの２つのレンズ群がフォーカシング時に移動し、第３レンズ群Ｌ３は負の屈折力のＬ３ａレンズ成分Ｌ３ａと正の屈折力のＬ３ｂレンズ成分Ｌ３ｂとから構成され、Ｌ３ａレンズ成分Ｌ３ａを光軸と直交方向に移動することによって像ブレの補正を行い、Ｌ３ａレンズ成分Ｌ３ａは少なくとも正レンズ１枚と負レンズ１枚を有し、次の条件を満足することを特徴とする。
（１）０．３５＜｜ｆＬ２ａ・ｆＬ２ｂ／ｆ２｜＜０．５５ 
（２）０．３５＜｜ｆＬ３ａ／ｆＬ３ｂ｜＜０．４７ 
ただし、 
ｆＬ２ａ：Ｌ２ａレンズ成分Ｌ２ａの焦点距離 
ｆＬ２ｂ：Ｌ２ｂレンズ成分Ｌ２ｂの焦点距離 
ｆＬ３ａ：Ｌ３ａレンズ成分Ｌ３ａの焦点距離 
ｆＬ３ｂ：Ｌ３ｂレンズ成分Ｌ３ｂの焦点距離 
ｆ：レンズ系全体の無限遠合焦状態における合成焦点距離
である。
【００２２】
本発明において更に好ましくは、次の条件を満足することを特徴とする。
（３）２２．０＜νｄＬ２ｂ＜３６．０
ただし、
νｄＬ２ｂ：Ｌ２ｂレンズ成分Ｌ２ｂを構成する凸レンズの硝材のｄ線基準のアッベ数の最小値
【００２３】
本発明において更に好ましくは、Ｌ２ｂ成分Ｌ２ｂは１枚の正レンズからなることを特徴とする。
【００２４】
本発明において更に好ましくは、Ｌ３ｂ成分Ｌ３ｂは少なくとも２枚の正レンズと１枚の負レンズを含んで構成され、次の条件を満足することを特徴とする。
（４）０．８５＜ｎｄＬ３ｂｐｌ／ｎｄＬ３ｂｎｈ＜０．９７
（５）２０＜νｄＬ３ｂｐｌ−νｄＬ３ｂｎｈ
ただし、
ｎｄＬ３ｂｐｌ：Ｌ３ｂレンズ成分Ｌ３ｂ中の正レンズの屈折率の最小値
ｎｄＬ３ｂｎｈ：Ｌ３ｂレンズ成分Ｌ３ｂ中の屈折率の最大値
νｄＬ３ｂｐｌ：Ｌ３ｂレンズ成分Ｌ３ｂ中の正レンズのアッベ数の最小値
νｄＬ３ｂｎｈ：Ｌ３ｂレンズ成分Ｌ３ｂ中の負レンズのアッベ数の最大値
である。
【発明の効果】
【００２５】
本発明によれば１：２以上の高い倍率での撮影が可能で、かつ防振機構を備えた、対角線画角２０°〜２５°程度のマクロレンズであって、構成の複雑化やレンズ枚数の増加を避けながら、フォーカシングに伴う非点収差、軸上色収差や軸外での色フレアの発生を抑制し、防振時の像面の変動を十分に抑制し、より一層すぐれた画質の撮影画像を得られるマクロレンズを提供できる。
【図面の簡単な説明】
【００２６】
【図１】実施例１のマクロレンズの無限遠合焦時におけるレンズ断面図である。
【図２】実施例１のマクロレンズの無限遠合焦時の縦収差図である。
【図３】実施例１のマクロレンズの１：２の倍率での撮影時の縦収差図である。
【図４】実施例１のマクロレンズの１：１の倍率での撮影時の縦収差図である。
【図５】実施例１のマクロレンズの無限遠合焦時の標準状態の横収差図である。
【図６】実施例１のマクロレンズの１：２の倍率での撮影時の標準状態の横収差図である。
【図７】実施例１のマクロレンズの１：１の倍率での撮影時の標準状態の横収差図である。
【図８】実施例１のマクロレンズの無限遠合焦時において、プラス方向に０．５ｍｍ分防振させた状態の横収差図である。
【図９】実施例１のマクロレンズの１：２の倍率での撮影時において、プラス方向に１．０ｍｍ分防振させた状態の横収差図である。
【図１０】実施例１のマクロレンズの１：１の倍率での撮影時において、プラス方向に１．５ｍｍ分防振させた状態の横収差図である。
【図１１】実施例２のマクロレンズの無限遠合焦時におけるレンズ断面図である。
【図１２】実施例２のマクロレンズの無限遠合焦時の縦収差図である。
【図１３】実施例２のマクロレンズの１：２の倍率での撮影時の縦収差図である。
【図１４】実施例２のマクロレンズの１：１の倍率での撮影時の縦収差図である。
【図１５】実施例２のマクロレンズの無限遠合焦時の標準状態の横収差図である。
【図１６】実施例２のマクロレンズの１：２の倍率での撮影時の標準状態の横収差図である。
【図１７】実施例２のマクロレンズの１：１の倍率での撮影時の標準状態の横収差図である。
【図１８】実施例２のマクロレンズの無限遠合焦時において、プラス方向に０．５ｍｍ分防振させた状態の横収差図である。
【図１９】実施例２のマクロレンズの１：２の倍率での撮影時において、プラス方向に１．０ｍｍ分防振させた状態の横収差図である。
【図２０】実施例２のマクロレンズの１：１の倍率での撮影時において、プラス方向に１．５ｍｍ分防振させた状態の横収差図である。
【図２１】実施例３のマクロレンズの無限遠合焦時におけるレンズ断面図である。
【図２２】実施例３のマクロレンズの無限遠合焦時の縦収差図である。
【図２３】実施例３のマクロレンズの１：２の倍率での撮影時の縦収差図である。
【図２４】実施例３のマクロレンズの１：１の倍率での撮影時の縦収差図である。
【図２５】実施例３のマクロレンズの無限遠合焦時の標準状態の横収差図である。
【図２６】実施例３のマクロレンズの１：２の倍率での撮影時の標準状態の横収差図である。
【図２７】実施例３のマクロレンズの１：１の倍率での撮影時の標準状態の横収差図である。
【図２８】実施例３のマクロレンズの無限遠合焦時において、プラス方向に０．５ｍｍ分防振させた状態の横収差図である。
【図２９】実施例３のマクロレンズの１：２の倍率での撮影時において、プラス方向に１．０ｍｍ分防振させた状態の横収差図である。
【図３０】実施例３のマクロレンズの１：１の倍率での撮影時において、プラス方向に１．５ｍｍ分防振させた状態の横収差図である。
【図３１】実施例４のマクロレンズの無限遠合焦時におけるレンズ断面図である。
【図３２】実施例４のマクロレンズの無限遠合焦時の縦収差図である。
【図３３】実施例４のマクロレンズの１：２の倍率での撮影時の縦収差図である。
【図３４】実施例４のマクロレンズの１：１の倍率での撮影時の縦収差図である。
【図３５】実施例４のマクロレンズの無限遠合焦時の標準状態の横収差図である。
【図３６】実施例４のマクロレンズの１：２の倍率での撮影時の標準状態の横収差図である。
【図３７】実施例４のマクロレンズの１：１の倍率での撮影時の標準状態の横収差図である。
【図３８】実施例４のマクロレンズの無限遠合焦時において、プラス方向に０．５ｍｍ分防振させた状態の横収差図である。
【図３９】実施例４のマクロレンズの１：２の倍率での撮影時において、プラス方向に１．０ｍｍ分防振させた状態の横収差図である。
【図４０】実施例４のマクロレンズの１：１の倍率での撮影時において、プラス方向に１．５ｍｍ分防振させた状態の横収差図である。
【図４１】実施例５のマクロレンズの無限遠合焦時におけるレンズ断面図である。
【図４２】実施例５のマクロレンズの無限遠合焦時の縦収差図である。
【図４３】実施例５のマクロレンズの１：２の倍率での撮影時の縦収差図である。
【図４４】実施例５のマクロレンズの１：１の倍率での撮影時の縦収差図である。
【図４５】実施例５のマクロレンズの無限遠合焦時の標準状態の横収差図である。
【図４６】実施例５のマクロレンズの１：２の倍率での撮影時の標準状態の横収差図である。
【図４７】実施例５のマクロレンズの１：１の倍率での撮影時の標準状態の横収差図である。
【図４８】実施例５のマクロレンズの無限遠合焦時において、プラス方向に０．５ｍｍ分防振させた状態の横収差図である。
【図４９】実施例５のマクロレンズの１：２の倍率での撮影時において、プラス方向に１．０ｍｍ分防振させた状態の横収差図である。
【図５０】実施例５のマクロレンズの１：１の倍率での撮影時において、プラス方向に１．５ｍｍ分防振させた状態の横収差図である。
【図５１】実施例６のマクロレンズの無限遠合焦時におけるレンズ断面図である。
【図５２】実施例６のマクロレンズの無限遠合焦時の縦収差図である。
【図５３】実施例６のマクロレンズの１：２の倍率での撮影時の縦収差図である。
【図５４】実施例６のマクロレンズの１：１の倍率での撮影時の縦収差図である。
【図５５】実施例６のマクロレンズの無限遠合焦時の標準状態の横収差図である。
【図５６】実施例６のマクロレンズの１：２の倍率での撮影時の標準状態の横収差図である。
【図５７】実施例６のマクロレンズの１：１の倍率での撮影時の標準状態の横収差図である。
【図５８】実施例６のマクロレンズの無限遠合焦時において、プラス方向に０．５ｍｍ分防振させた状態の横収差図である。
【図５９】実施例６のマクロレンズの１：２の倍率での撮影時において、プラス方向に１．０ｍｍ分防振させた状態の横収差図である。
【図６０】実施例６のマクロレンズの１：１の倍率での撮影時において、プラス方向に１．５ｍｍ分防振させた状態の横収差図である。
【図６１】防振群の屈折力が負である場合、標準状態と防振状態における防振群に入射する光線の防振群入射前後の様子を表した図である。
【図６２】防振群の屈折力が正である場合、標準状態と防振状態における防振群に入射する光線の防振群入射前後の様子を表した図である。
【発明を実施するための形態】
【００２７】
本発明に記載のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成され、第２レンズ群Ｌ２は少なくとも、物体側から順にフォーカシング時に移動する負の屈折力のＬ２ａレンズ成分Ｌ２ａと、開口絞りＳＰを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃを有し、少なくともＬ２ａレンズ成分Ｌ２ａとＬ２ｃレンズ成分Ｌ２ｃの２つのレンズ群がフォーカシング時に移動し、第３レンズ群Ｌ３は負の屈折力のＬ３ａレンズ成分Ｌ３ａと正の屈折力のＬ３ｂレンズ成分Ｌ３ｂとから構成され、Ｌ３ａレンズ成分Ｌ３ａを光軸と直交方向に移動することによって像ブレの補正を行い、Ｌ３ａレンズ成分Ｌ３ａは少なくとも１枚ずつの正レンズと負レンズを有する構成とする。
【００２８】
まず、本発明のマクロレンズにおける、フォーカシング時の構成について述べる。
【００２９】
本発明のマクロレンズにおいては、フォーカシング時に第１レンズ群Ｌ１が固定で有るため、レンズ系全長の変化がなく、操作性が良い。更に、第２レンズ群Ｌ２中の複数のレンズ成分が独立に移動するフローティングを行うことで、像面の変動を抑制している。
【００３０】
次に、本発明のマクロレンズにおける、収差補正について述べる。
【００３１】
本発明のマクロレンズにおいては、第１レンズ群Ｌ１とＬ２ａレンズ成分Ｌ２ａの間に強い望遠系を構成し、Ｌ２ｃレンズ成分Ｌ２ｃと第３レンズ群Ｌ３の間に望遠系を形成している。
【００３２】
このふたつの望遠系のうち、光線径の高い第１レンズ群Ｌ１とＬ２ａレンズ成分Ｌ２ａの間においては、コマ収差、非点収差、歪曲などを強く打ち消し合う関係となる。このため、第１レンズ群Ｌ１とＬ２ａレンズ成分Ｌ２ａの偏芯やＬ２ａレンズ成分Ｌ２ａの移動にともなって収差補正のバランスが崩れやすい。
【００３３】
中でも第１レンズ群Ｌ１またはＬ２ａレンズ成分Ｌ２ａのティルト偏芯による非点収差の変動と、近距離へのフォーカシングに伴うコマ収差の変動が大きくなりがちである。
【００３４】
これらの問題を緩和するためには、入射瞳をなるべく物体側に移動し、軸外主光線が第１レンズ群Ｌ１およびＬ２ａレンズ成分Ｌ２ａを通過する位置を光軸に近づけ、第１レンズ群Ｌ１およびＬ２ａレンズ成分Ｌ２ａで発生する収差を抑制することが有効である。入射瞳を物体側に移動するためには開口絞りＳＰをなるべく物体側に設置すると良いが、そのためにはフォーカシングに伴うＬ２ａレンズ成分Ｌ２ａの移動量を抑制する必要がある。
【００３５】
そして、Ｌ２ａレンズ成分Ｌ２ａの移動量を削減するためにはＬ２ａレンズ成分Ｌ２ａとＬ２ｂレンズ成分Ｌ２ｂのパワーが強くなることが望ましい。
【００３６】
そこで、本発明のマクロレンズでは、以下の条件を満足することが望ましい。
（１）０．３５＜｜ｆＬ２ａ・ｆＬ２ｂ／ｆ２｜＜０．５５
ただし、
ｆＬ２ａ：Ｌ２ａレンズ成分Ｌ２ａの焦点距離
ｆＬ２ｂ：Ｌ２ｂレンズ成分Ｌ２ｂの焦点距離
ｆ：レンズ系全体の無限遠合焦状態における合成焦点距離
【００３７】
条件式（１）はＬ２ａレンズ成分Ｌ２ａおよびＬ２ｂレンズ成分Ｌ２ｂの焦点距離と、レンズ全系の合成焦点距離の関係を規定し、フォーカシングに伴うＬ２ａレンズ成分Ｌ２ａの移動量を削減して入射瞳位置を物体側に近づけるために望ましい条件を示す。
【００３８】
条件式（１）の上限を上回ってＬ２ａレンズ成分Ｌ２ａまたはＬ２ｂレンズ成分Ｌ２ｂの焦点距離が長くなると、Ｌ２ａレンズ成分Ｌ２ａのフォーカシングに伴う移動量を削減することが困難となるために、入射瞳位置が像面側に寄ってしまい、軸外主光線の第１レンズ群Ｌ１およびＬ２ａレンズ成分Ｌ２ａを通過する位置が光軸から離れ、非点収差やコマ収差の発生が大きくなり、第１レンズ群Ｌ１とＬ２ａレンズ成分Ｌ２ａの間の位置誤差による収差変動が大きくなる。
【００３９】
条件式（１）の下限を下回ってＬ２ａレンズ成分Ｌ２ａまたはＬ２ｂレンズ成分Ｌ２ｂの焦点距離が短くなると、Ｌ２ａレンズ成分Ｌ２ａまたはＬ２ｂレンズ成分Ｌ２ｂの球面収差や軸上色収差の発生が大きくなり、球面収差や軸上色収差の補正が困難となって性能が低下してしまう。
【００４０】
次に、本発明のように、防振群が絞り近傍にない場合のマクロレンズの防振時の収差変動の抑制について、摸式図を用いて説明する。
【００４１】
一般に、光線の通過位置が光軸から離れるほど光線の偏角が大きくなる。すなわち単色収差の発生が大きくなるといえる。
【００４２】
防振群に入射する任意の光線を考えたとき、標準状態の防振群入射前後の光線の偏角をδ、防振状態の防振群入射前後の光線の偏角をδ’、標準状態の防振群から射出される光線が防振群の像側の群に入射する位置とレンズ系全体の光軸との距離をｈ、防振状態の防振群から射出される光線が防振群の像側の群に入射する位置とレンズ系全体の光軸との距離をｈ’とする。
【００４３】
まず、図６１を用いて、防振群の屈折力が負である場合を考える。
【００４４】
図６１は、防振群の屈折力が負である場合、標準状態と防振状態における、防振群に入射する光線の防振群入射前後の光線の偏角と、標準状態と防振状態における、防振群から射出される光線の、防振群の像側の群に入射する位置からレンズ系全体の光軸との距離とを表した図である。図からわかる通り、標準状態の偏角δに比べ、防振状態のとき、防振群の中心軸が光線の入射位置に近づく方向にシフトした場合、偏角δ’の絶対値は小さくなり、防振群の発生させる収差の絶対値は小さくなる傾向にある。この時、防振群の屈折力が負であることからｈ’は小さくなり、防振群より像側のレンズの発生させる収差の絶対値も小さくなる傾向にある。
【００４５】
防振群と防振群より像側の群の発生させる収差の絶対値がともに小さくなるので、防振状態の収差変動を抑制するためには防振群と防振群より像側の群の発生させる収差は異符号であると良い。このため、防振群と防振群より像側の群の屈折力は異符号である方が良い。したがって、防振群の屈折力が負である場合は防振群より像側の群の屈折力は正であると良い。
【００４６】
一方、図６２を用いて、防振群の屈折力が正である場合を考える。
【００４７】
図６２は、防振群の屈折力が正である場合、標準状態と防振状態における、防振群に入射する光線の防振群入射前後の光線の偏角と、標準状態と防振状態における、防振群から射出される光線の、防振群の像側の群に入射する位置からレンズ系全体の光軸との距離とを表した図である。図から分かる通り、標準状態の偏角δに比べ、防振状態のとき、防振群の中心軸が光線の入射位置に近づく方向にシフトした場合、偏角δ’の絶対値は小さくなり、防振群の発生させる収差の絶対値は小さくなる傾向にある。この時、防振群の屈折力が正であることからｈ’は大きくなり、防振群より像側のレンズの発生させる収差の絶対値も大きくなる傾向にある。
【００４８】
防振群の発生させる収差の絶対値は小さく、防振群より像側の群の発生させる収差の絶対値は大きくなるので、防振状態の収差変動を抑制するためには防振群と防振群より像側の群の発生させる収差は同符号であると良い。このため、防振群と防振群より像側の群の屈折力は同符号である方が良い。したがって、防振群の屈折力が正である場合は防振群より像側の群の屈折力は正であると良い。
【００４９】
これらのことから防振群が絞りの近傍にない場合において、防振群の屈折力の符号に関わらず、防振群より像側に正の屈折力の群を配置することによって防振時の収差変動を抑制することが出来る。
【００５０】
本発明のマクロレンズは負の屈折力の第３レンズ群Ｌ３を、物体側から順に負の屈折力のＬ３ａレンズ成分Ｌ３ａと正の屈折力のＬ３ｂレンズ成分Ｌ３ｂに分割して、Ｌ３ａレンズ成分Ｌ３ａを防振群としている。
【００５１】
一般に、防振群の移動に対する像面の移動量は、以下の式（ａ）で示される。
【００５２】
（ａ）Ｋｏｓ＝Δｙ／Δｘ＝（１−βｏｓ）・βｒｅａｒ
ただし、
Ｋｏｓ：防振係数
Δｙ：像面の光軸へ直交する方向への移動量
Δｘ：防振群の光軸へ直交する方向への移動量
βｏｓ：防振群の結像倍率
βｒｅａｒ：防振群より像側のレンズ群の結像倍率
【００５３】
式（ａ）に示されるＫｏｓの値があまりに小さくなると、必要とされる像の光軸直交方向への移動量を得るための防振群の移動量を大きくしなければならず、鏡筒の外径を大きくする必要が有り、または像の光軸直交方向への移動量を十分に確保できないために防振の制御に支障を生じ、防振効果が低下してしまう。
【００５４】
また、フォーカシング時に移動するレンズ群に防振のための機構を搭載すると、機構が複雑化して鏡筒径の増大を招き、また、フォーカス群の重量増加を招いてフォーカシング速度が低下するなどの問題がある。したがって、防振群としてはフォーカシング時に像面に対して固定であることが望ましい。
【００５５】
先に述べたように、第１レンズ群Ｌ１やＬ２ａレンズ成分Ｌ２ａは収差の製造誤差感度が大きくなりがちであるので、光軸に対して直交する方向に移動させた際の収差変動が大きいため防振群に適さない。
【００５６】
Ｌ２ｂ成分Ｌ２ｂのＫｏｓを大きくするためにはＬ２ｂレンズ成分Ｌ２ｂの屈折力を大きくする必要があるが、この時Ｌ２ｂレンズ成分Ｌ２ｂまでの合成系の屈折力が強くなってＬ２ｃレンズ成分Ｌ２ｃの屈折力が弱くなるので、Ｌ２ｃレンズ成分Ｌ２ｃのフォーカシング時の移動量が増大してしまい、マクロレンズの全長の抑制が難しくなる。このためにＬ２ｂレンズ成分Ｌ２ｂは屈折力を大きくしづらいためにＫｏｓの値を大きく出来ず、やはり防振群に適さない。
【００５７】
Ｌ２ｃレンズ成分Ｌ２ｃはフォーカシング時に像面に対して位置が固定されていないため、防振群には好ましくない。
【００５８】
以上より、第３レンズ群Ｌ３の一部に防振群を設けることが望ましい。
【００５９】
更に、レンズ系の全長を短縮するためには第３レンズ群Ｌ３が全体として負の屈折力であることが望まれる。更に、前述のように防振時の収差変動を抑制するためには防振群より像側に正の屈折力のレンズ群を持つことが望まれる。
【００６０】
以上の理由より、負の屈折力の第３レンズ群Ｌ３を物体側から順に負の屈折力のＬ３ａレンズ成分Ｌ３ａと正の屈折力のＬ３ｂレンズ成分Ｌ３ｂに分割し、Ｌ３ａレンズ成分Ｌ３ａで防振を行うことが非常に望ましい。
【００６１】
更に、偏芯時の横色収差の変動を抑えるためにはＬ３ａレンズ成分Ｌ３ａに少なくとも１枚の正レンズと１枚の負レンズを含み、色収差の補正を行うことが好ましい。
【００６２】
更に、本発明のマクロレンズでは、以下の条件を満足することが望ましい。
（２）０．３５＜｜ｆＬ３ａ／ｆＬ３ｂ｜＜０．４７
ただし、
ｆＬ３ａ：Ｌ３ａレンズ成分Ｌ３ａの焦点距離
ｆＬ３ｂ：Ｌ３ｂレンズ成分Ｌ３ｂの焦点距離
ｆ：レンズ系全体の無限遠合焦状態における合成焦点距離
【００６３】
条件式（２）はＬ３ａレンズ成分Ｌ３ａとＬ３ｂレンズ成分Ｌ３ｂの焦点距離の比を規定し、鏡筒の小型化と防振時の収差変動の抑制に関して好ましい範囲を示す。
【００６４】
条件式（２）の上限を上回ってＬ３ａレンズ成分Ｌ３ａの屈折力がＬ３ｂレンズ成分Ｌ３ｂに対して弱くなりすぎると、第３レンズ群Ｌ３全体の屈折力が弱くなってレンズ系の全長の大型化を招き、また防振時のＬ３ａレンズ成分Ｌ３ａの移動量が増大して鏡筒全体の大型化を招く。
【００６５】
一方、条件式（２）の下限を下回ってＬ３ａレンズ成分Ｌ３ａの屈折力がＬ３ｂレンズ成分Ｌ３ｂに対して強くなりすぎると、防振時の収差変動を抑制することが難しくなる。
【００６６】
次いで、軸上色収差の補正について述べる。
【００６７】
前述のように入射瞳をより物体側に近づけるためにはＬ２ａレンズ成分Ｌ２ａとＬ２ｂレンズ成分Ｌ２ｂの屈折力を強くすると良いが、特にパワーの強いＬ２ａレンズ成分Ｌ２ａにおいて凹レンズの発生させる色収差が大きくなり、レンズ系全体としては軸上色収差が補正過剰の状態となってしまう。近距離側ではレンズ系全体の軸上色収差が拡大されてしまうため、特に近距離側の性能が低下する問題を生じる。
【００６８】
そこで、上記問題を解決するため、Ｌ２ｂレンズ成分Ｌ２ｂの凸レンズの分散を大きく設定することで、Ｌ２ａレンズ成分Ｌ２ａの凹レンズが発生させる色収差を打ち消し、レンズ系全体の軸上色収差を良好に補正することができる。
【００６９】
更に、本発明のマクロレンズでは、以下の条件を満足することが望ましい。
（３）２２．０＜νｄＬ２ｂ＜３６．０
ただし
νｄＬ２ｂ：Ｌ２ｂレンズ成分Ｌ２ｂを構成する凸レンズの硝材のｄ線基準のアッベ数の最小値
【００７０】
条件式（３）はＬ２ｂレンズ成分Ｌ２ｂを構成する凸レンズの硝材のアッベ数の最小値を規定し、軸上色収差補正に関する好ましい範囲を示す。
【００７１】
条件式（３）の上限を上回ってＬ２ｂレンズ成分Ｌ２ｂを構成する凸レンズの硝材のアッベ数の最小値が大きくなると、Ｌ２ａレンズ成分Ｌ２ａの凸レンズの発生させる色収差を補正することが難しくなる。
【００７２】
条件式（３）の下限を下回ってＬ２ｂレンズ成分Ｌ２ｂを構成する凸レンズの硝材のアッベ数の最小値が小さくなると、硝材の透過率が悪い傾向にあるため、好ましくない。
【００７３】
更に、Ｌ２ｂレンズ成分Ｌ２ｂが１枚の正レンズからなることによって構成枚数の削減による低コスト化や、全長の短縮などに有効である。
【００７４】
防振時の像面湾曲の変動を小さく抑えるためにはＬ３ｂレンズ成分Ｌ３ｂで正のペッツバール和の絶対値を大きくし、防振群であるＬ３ａレンズ成分Ｌ３ａのペッツバール和を打ち消すことが有効である。
【００７５】
そこで、Ｌ３ｂレンズ成分Ｌ３ｂを少なくとも２枚の正レンズと少なくとも１枚の負レンズにて構成することで、コマ収差や倍率色収差の悪化を避けながらペッツバール和の絶対値を大きくすることが容易となる。
【００７６】
そのためには条件式（４）および（５）を満足することが望ましい。
（４）０．８５＜ｎｄＬ３ｂｐｌ／ｎｄＬ３ｂｎｈ＜０．９７
（５）２０＜νｄＬ３ｂｐｌ−νｄＬ３ｂｎｈ
ただし、
ｎｄＬ３ｂｐｌ：Ｌ３ｂレンズ成分Ｌ３ｂ中の正レンズの屈折率の最小値
ｎｄＬ３ｂｎｈ：Ｌ３ｂレンズ成分Ｌ３ｂ中の負レンズの屈折率の最大値
νｄＬ３ｂｐｌ：Ｌ３ｂレンズ成分Ｌ３ｂ中の正レンズのアッベ数の最小値
νｄＬ３ｂｎｈ：Ｌ３ｂレンズ成分Ｌ３ｂ中の負レンズのアッベ数の最大値
【００７７】
条件式（４）はＬ３ｂレンズ成分Ｌ３ｂ内の正レンズと負レンズの硝材屈折率に関し、防振時の像面の変動を抑制するために望ましい範囲を示す。
【００７８】
条件式（４）の上限を上回ってＬ３ｂレンズ成分Ｌ３ｂの凸レンズの硝材の屈折率が高くなると、Ｌ３ｂレンズ成分Ｌ３ｂのペッツバール和が小さくなって防振時の像面の変動を抑制することが難しくなる。
【００７９】
条件式（４）の下限を下回ってＬ３ｂレンズ成分Ｌ３ｂの凸レンズの硝材の屈折率が低くなると、Ｌ３ｂレンズ成分Ｌ３ｂの凸レンズのｒがきつくなってコマ収差の発生が大きくなりすぎ、防振状態の性能も低下してしまう。
【００８０】
条件式（５）はＬ３ｂレンズ成分Ｌ３ｂ内の正レンズと負レンズの硝材のアッベ数に関し、防振時の横色収差の変動を抑制するために好ましい条件を示す。
【００８１】
条件式（５）の下限を下回って、Ｌ３ｂレンズ成分Ｌ３ｂ内の正レンズと負レンズの硝材のアッベ数の差が少なくなるとＬ３ｂレンズ成分Ｌ３ｂ内での色収差の補正が不完全となり、防振時の横色収差の変動が大きくなってしまう。
【００８２】
以下に、本発明のマクロレンズの数値実施例を説明する。
【００８３】
ｆは焦点距離、ＦｎｏはＦナンバー、２ωは対角線画角を示す。番号はレンズの面番号を示し、ｒは各面の曲率半径、ｄは面間隔、ｎｄはｄ線に対する屈折率、νｄはｄ線基準のアッベ数を示す。
【実施例１】
【００８４】
図１は、本発明の実施例１に係るマクロレンズの構成を示す図である。この図１のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成されている。第１レンズ群Ｌ１は物体側から順に、両凸レンズ、両凸レンズと両凹レンズの接合レンズ、物体側に凸面を向けた凸メニスカスレンズから構成されている。第２レンズ群Ｌ２は、物体側から順に、フォーカシング時に移動する負の屈折力のＬ２ａレンズ成分Ｌ２ａと、開口絞りを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃから構成されている。Ｌ２ａレンズ成分Ｌ２ａは両凹レンズ、物体側に凸面を向けた凹メニスカスレンズ、両凹レンズと物体側に凸面を向けた凸メニスカスレンズの接合レンズから構成されている。Ｌ２ｂレンズ成分Ｌ２ｂは開口絞りＳＰと両凸レンズで構成されている。Ｌ２ｃ成分Ｌ２ｃは両凸レンズ、両凸レンズと両凹レンズの接合レンズで構成されている。第３レンズ群Ｌ３は、光軸と直交方向に移動することによって像ブレの補正を行う負の屈折力のＬ３ａレンズ成分Ｌ３ａと、正の屈折力のＬ３ｂレンズ成分Ｌ３ｂとから構成されている。Ｌ３ａレンズ成分Ｌ３ａは像側に凸面を向けた凸メニスカスレンズと両凹レンズの接合レンズで構成されている。Ｌ３ｂレンズ成分Ｌ３ｂは両凹レンズと両凸レンズの接合レンズ、両凸レンズから構成されている。
【００８５】
［レンズ諸元］
ｒ             ｄ            ｎｄ           νｄ
[1]          102.6120         4.3674        1.77250          49.62
[2]         -182.7090         0.1500
[3]           48.7257         6.1801        1.49700          81.61
[4]         -107.8610         1.2000        1.80518          25.46
[5]           96.3373         0.1500
[6]           50.1746         2.9890        1.59282          68.62
[7]          146.9140           可変
[8]         -434.7160         1.0000        1.51680          64.20
[9]           27.5822         2.5975
[10]          85.7260         1.0000        1.62004          36.30
[11]          40.3122         3.2999
[12]         -91.6348         1.0000        1.51742          52.15
[13]          33.1436         3.7593        1.84666          23.78
[14]         138.7790           可変
[15]         開口絞り         3.0000
[16]         140.6340         2.4029        1.80610          33.27
[17]        -374.6100           可変
[18]         144.0050         3.7037        1.80420          46.50
[19]         -71.1001         0.1500
[20]          82.9160         5.2196        1.59282          68.62
[21]         -41.3644         1.0000        1.72825          28.32
[22]         194.0700           可変
[23]        -348.5270         3.1362        1.72825          28.32
[24]         -43.8708         1.0000        1.72916          54.67
[25]          43.8708         6.0421
[26]         -79.1744         1.2352        1.80610          33.27
[27]          60.9025         5.1732        1.58913          61.25
[28]         -75.1942         0.1500
[29]          59.3668         5.2523        1.71300          53.94
[30]        -541.9380             Bf
［全体諸元］
撮影倍率          INF            1:2            1:1
f              101.93          92.54          76.41
Fno              2.91           4.37           5.83
2ω             24.16          15.59           9.44
［可変間隔］
撮影倍率          INF            1:2            1:1
d7             2.5628         9.6805        17.0287
d14           17.1441        10.0264         2.6782
d17           22.1238        11.5023         1.7500
d22            5.6147        16.2362        25.9885
Bf            52.3867        52.3868        52.3870
［条件式対応値］
実施例１
条件式（１）｜ｆＬ２ａ・ｆＬ２ｂ／ｆ２｜            0.396
条件式（２）｜ｆＬ３ａ／ｆＬ３ｂ｜                  0.450
条件式（３）νｄＬ２ａ                              33.27
条件式（４）ｎｄＬ３ｂｐｌ／ｎｄＬ３ｂｎｈ          0.880
条件式（５）νｄＬ３ｂｐｌ−νｄＬ３ｂｎｈ          20.67
【実施例２】
【００８６】
図１１は、本発明の実施例２に係るマクロレンズの構成を示す図である。この図１１のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成される。第１レンズ群Ｌ１は物体側から順に、両凸レンズ、両凸レンズと両凹レンズの接合レンズ、物体側に凸面を向けた凸メニスカスレンズから構成されている。第２レンズ群Ｌ２は、物体側から順に、フォーカシング時に移動する負の屈折力のＬ２ａレンズ成分Ｌ２ａと、開口絞りを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃから構成されている。Ｌ２ａレンズ成分Ｌ２ａは両凹レンズ、両凹レンズと物体側に凸面を向けた凸メニスカスレンズの接合レンズから構成されている。Ｌ２ｂレンズ成分Ｌ２ｂは開口絞りＳＰと両凸レンズで構成されている。Ｌ２ｃ成分Ｌ２ｃは両凸レンズ、両凸レンズと両凹レンズの接合レンズで構成されている。第３レンズ群Ｌ３は、光軸と直交方向に移動することによって像ブレの補正を行う負の屈折力のＬ３ａレンズ成分Ｌ３ａと、正の屈折力のＬ３ｂレンズ成分Ｌ３ｂとから構成されている。Ｌ３ａレンズ成分Ｌ３ａは両凸レンズと両凹レンズの接合レンズで構成されている。Ｌ３ｂレンズ成分Ｌ３ｂは両凹レンズと両凸レンズの接合レンズ、物体側に凸面を向けた凸メニスカスレンズから構成されている。
【００８７】
［レンズ諸元］
ｒ             ｄ            ｎｄ           νｄ
[1]          185.7260         4.1345        1.80420          46.50
[2]         -142.8660         0.1500
[3]           57.2079         7.2742        1.49700          81.61
[4]          -74.3703         1.2000        1.72825          28.32
[5]           97.1863         0.1500
[6]           45.6388         3.5038        1.59282          68.62
[7]          174.3410           可変
[8]         -751.5470         1.0000        1.58144          40.89
[9]           27.7373         4.6366
[10]        -102.9860         1.0000        1.58913          61.25
[11]          29.0817         4.1439        1.84666          23.78
[12]          95.6623           可変
[13]         開口絞り         2.5000
[14]         212.6700         3.9000        1.74950          35.04
[15]        -212.6700           可変
[16]         285.7990         3.1893        1.83481          42.72
[17]         -78.5339         0.1500
[18]          79.8253         5.4121        1.72916          54.67
[19]         -41.3502         1.0000        1.78472          25.72
[20]         246.5610           可変
[21]         516.8770         3.8838        1.75520          27.53
[22]         -39.4078         1.0000        1.77250          49.62
[23]          39.4078         6.4278
[24]         -60.3091         1.2000        1.80610          33.27
[25]          60.3091         4.9674        1.72916          54.67
[26]         -78.4018         0.1500
[27]          54.3427         4.6470        1.72916          54.67
[28]         359.3020             Bf
［全体諸元］
撮影倍率          INF            1:2            1:1
f              101.99          90.99          74.27
Fno              2.91           4.37           5.82
2ω             24.29          15.57           9.26
［可変間隔］
撮影倍率          INF            1:2            1:1
d7             2.9937        10.8578        19.2351
d12           20.4133        12.5492         4.1719
d15           21.3586        11.1841         1.7500
d20            4.7062        14.8807        24.3148
Bf            52.9078        52.9078        52.9078
［条件式対応値］
実施例２
条件式（１）｜ｆＬ２ａ・ｆＬ２ｂ／ｆ２｜            0.482
条件式（２）｜ｆＬ３ａ／ｆＬ３ｂ｜                  0.386
条件式（３）νｄＬ２ａ                              35.04
条件式（４）ｎｄＬ３ｂｐｌ／ｎｄＬ３ｂｎｈ          0.957
条件式（５）νｄＬ３ｂｐｌ−νｄＬ３ｂｎｈ          21.40
【実施例３】
【００８８】
図２１は、本発明の実施例３に係るマクロレンズの構成を示す図である。この図２１のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成される。第１レンズ群Ｌ１は物体側から順に、両凸レンズ、両凸レンズと両凹レンズの接合レンズ、物体側に凸面を向けた凸メニスカスレンズから構成されている。第２レンズ群Ｌ２は、物体側から順に、フォーカシング時に移動する負の屈折力のＬ２ａレンズ成分Ｌ２ａと、開口絞りを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃから構成されている。Ｌ２ａレンズ成分Ｌ２ａは両凹レンズ、両凹レンズと物体側に凸面を向けた凸メニスカスレンズの接合レンズから構成されている。Ｌ２ｂレンズ成分Ｌ２ｂは開口絞りＳＰと両凸レンズで構成されている。Ｌ２ｃ成分Ｌ２ｃは両凸レンズ、両凸レンズと両凹レンズの接合レンズで構成されている。第３レンズ群Ｌ３は、光軸と直交方向に移動することによって像ブレの補正を行う負の屈折力のＬ３ａレンズ成分Ｌ３ａと正の屈折力のＬ３ｂレンズ成分Ｌ３ｂとから構成されている。Ｌ３ａレンズ成分Ｌ３ａは像側に凸面を向けた凸メニスカスレンズと両凹レンズの接合レンズで構成されている。Ｌ３ｂレンズ成分Ｌ３ｂは両凹レンズと両凸レンズの接合レンズ、両凸レンズから構成されている。
【００８９】
［レンズ諸元］
ｒ             ｄ            ｎｄ           νｄ
[1]          128.6080         4.5455        1.80420          46.50
[2]         -167.8330         0.4707
[3]           60.4219         6.7522        1.49700          81.61
[4]          -82.5691         1.2000        1.76182          26.61
[5]          107.5870         0.1500
[6]           49.5326         3.5410        1.59282          68.62
[7]          253.2330           可変
[8]         -370.6000         0.9500        1.60342          38.01
[9]           26.3724         5.0209
[10]         -83.0352         1.0000        1.51680          64.20
[11]          29.2567         4.0519        1.84666          23.78
[12]          90.1528           可変
[13]         開口絞り         2.3500
[14]         264.5900         2.8700        1.80518          25.46
[15]        -170.7040           可変
[16]         597.3580         3.0967        1.80420          46.50
[17]         -75.4415         0.1500
[18]          74.0520         5.8015        1.72916          54.67
[19]         -38.7426         1.0000        1.76182          26.61
[20]         205.3230           可変
[21]        -441.6700         3.4250        1.80518          25.46
[22]         -41.1069         0.9500        1.77250          49.62
[23]          41.1069         4.3910
[24]         -78.0813         1.2000        1.80610          33.27
[25]          43.4947         5.7207        1.72916          54.67
[26]         -88.7465         0.1500
[27]          52.2983         4.7222        1.58913          61.25
[28]       -1000.0000             Bf
［全体諸元］
撮影倍率          INF            1:2            1:1
f              101.89          91.82          75.55
Fno              2.91           4.38           5.83
2ω             24.05          15.30           8.97
［可変間隔］
撮影倍率          INF            1:2            1:1
d7             2.9446        10.5454        18.7377
d12           20.2254        12.6245         4.4322
d15           22.7309        12.5115         3.4024
d20            5.3898        15.6093        24.7184
Bf            53.3000        53.3000        53.3000
［条件式対応値］
実施例３
条件式（１）｜ｆＬ２ａ・ｆＬ２ｂ／ｆ２｜            0.418
条件式（２）｜ｆＬ３ａ／ｆＬ３ｂ｜                  0.447
条件式（３）νｄＬ２ａ                              25.46
条件式（４）ｎｄＬ３ｂｐｌ／ｎｄＬ３ｂｎｈ          0.880
条件式（５）νｄＬ３ｂｐｌ−νｄＬ３ｂｎｈ          21.40
【実施例４】
【００９０】
図３１は、本発明の実施例４に係るマクロレンズの構成を示す図である。この図３１のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成される。第１レンズ群Ｌ１は物体側から順に、両凸レンズ、両凸レンズと両凹レンズの接合レンズ、物体側に凸面を向けた凸メニスカスレンズから構成されている。第２レンズ群Ｌ２は、物体側から順に、フォーカシング時に移動する負の屈折力のＬ２ａレンズ成分Ｌ２ａと、開口絞りを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃから構成されている。Ｌ２ａレンズ成分Ｌ２ａは両凹レンズ、両凹レンズと物体側に凸面を向けた凸メニスカスレンズの接合レンズから構成されている。Ｌ２ｂレンズ成分Ｌ２ｂは開口絞りＳＰと両凸レンズで構成されている。Ｌ２ｃ成分Ｌ２ｃは両凸レンズ、両凸レンズと両凹レンズの接合レンズで構成されている。第３レンズ群Ｌ３は、光軸と直交方向に移動することによって像ブレの補正を行う負の屈折力のＬ３ａレンズ成分Ｌ３ａと正の屈折力のＬ３ｂレンズ成分Ｌ３ｂとから構成されている。Ｌ３ａレンズ成分Ｌ３ａは像側に凸面を向けた凸メニスカスレンズと両凹レンズの接合レンズで構成されている。Ｌ３ｂレンズ成分Ｌ３ｂは両凹レンズと両凸レンズの接合レンズ、両凸レンズから構成されている。
【００９１】
［レンズ諸元］
ｒ             ｄ            ｎｄ           νｄ
[1]          129.0850         4.5536        1.80420          46.50
[2]         -168.4560         0.7593
[3]           60.1581         6.7285        1.49700          81.61
[4]          -82.4177         1.2000        1.76182          26.61
[5]          107.3900         0.1500
[6]           49.2292         3.5517        1.59282          68.62
[7]          260.5460           可変
[8]         -359.5780         0.9500        1.60342          38.01
[9]           26.4941         4.9881
[10]         -80.7403         1.0000        1.51680          64.20
[11]          29.3575         3.9702        1.84666          23.78
[12]          86.6184           可変
[13]         開口絞り         2.3500
[14]         249.8780         2.9386        1.80518          25.46
[15]        -161.2120           可変
[16]         570.8840         3.0684        1.80420          46.50
[17]         -76.7882         0.1500
[18]          75.4847         5.7703        1.72916          54.67
[19]         -38.7023         1.0000        1.76182          26.61
[20]         218.3240           可変
[21]        -399.5920         3.3872        1.80518          25.46
[22]         -41.4772         0.9500        1.77250          49.62
[23]          41.4772         4.3666
[24]         -78.7902         1.2000        1.80610          33.27
[25]          42.8746         5.6999        1.72916          54.67
[26]         -93.6099         0.1500
[27]          53.7454         4.6951        1.58913          61.25
[28]        -449.7860             Bf
［全体諸元］
撮影倍率          INF            1:2            1:1
f              101.71          91.84          75.68
Fno              2.91           4.38           5.83
2ω             24.09          15.33           8.93
［可変間隔］
撮影倍率          INF            1:2            1:1
d7             2.9138        10.4099        18.6188
d12           20.1047        12.6086         4.3997
d15           22.7964        12.4801         3.3614
d20            5.4077        15.7240        24.8427
Bf            53.3000        53.3001        53.3001
［条件式対応値］
実施例４
条件式（１）｜ｆＬ２ａ・ｆＬ２ｂ／ｆ２｜            0.388
条件式（２）｜ｆＬ３ａ／ｆＬ３ｂ｜                  0.448
条件式（３）νｄＬ２ａ                              25.46
条件式（４）ｎｄＬ３ｂｐｌ／ｎｄＬ３ｂｎｈ          0.880
条件式（５）νｄＬ３ｂｐｌ−νｄＬ３ｂｎｈ          21.40
【実施例５】
【００９２】
図４１は、本発明の実施例５に係るマクロレンズの構成を示す図である。この図４１のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成される。第１レンズ群Ｌ１は物体側から順に、両凸レンズ、両凸レンズと両凹レンズの接合レンズ、物体側に凸面を向けた凸メニスカスレンズから構成されている。第２レンズ群Ｌ２は、物体側から順に、フォーカシング時に移動する負の屈折力のＬ２ａレンズ成分Ｌ２ａと、開口絞りを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃから構成されている。Ｌ２ａレンズ成分Ｌ２ａは両凹レンズ、両凹レンズと物体側に凸面を向けた凸メニスカスレンズの接合レンズから構成されている。Ｌ２ｂレンズ成分Ｌ２ｂは開口絞りＳＰと両凸レンズで構成されている。Ｌ２ｃ成分Ｌ２ｃは両凸レンズ、両凸レンズと両凹レンズの接合レンズで構成されている。第３レンズ群Ｌ３は、光軸と直交方向に移動することによって像ブレの補正を行う負の屈折力のＬ３ａレンズ成分Ｌ３ａと正の屈折力のＬ３ｂレンズ成分Ｌ３ｂとから構成されている。Ｌ３ａレンズ成分Ｌ３ａは両凸レンズと両凹レンズの接合レンズで構成されている。Ｌ３ｂレンズ成分Ｌ３ｂは両凹レンズと両凸レンズの接合レンズ、物体側に凸面を向けた凸メニスカスレンズから構成されている。
【００９３】
［レンズ諸元］
ｒ             ｄ            ｎｄ           νｄ
[1]          212.3680         4.0468        1.80420          46.50
[2]         -133.1660         0.1500
[3]           56.4175         6.7613        1.49700          81.61
[4]          -73.3427         1.2000        1.72825          28.32
[5]           95.3456         0.1500
[6]           45.8513         3.5399        1.59282          68.62
[7]          183.9620           可変
[8]         -670.2770         1.0000        1.56883          56.04
[9]           27.9328         4.7188
[10]        -100.9040         1.0000        1.51742          52.15
[11]          29.9789         3.7664        1.84666          23.78
[12]          73.1624           可変
[13]         開口絞り         3.0372
[14]         218.1310         3.0701        1.71736          29.50
[15]        -218.1310           可変
[16]         275.1680         3.2373        1.83481          42.72
[17]         -78.0390         0.1500
[18]          78.7692         5.4154        1.72916          54.67
[19]         -42.3040         1.0000        1.78472          25.72
[20]         233.6270           可変
[21]         525.2540         3.8880        1.75520          27.53
[22]         -39.7240         1.0000        1.77250          49.62
[23]          39.7240         5.2491
[24]         -57.3847         1.2000        1.80610          33.27
[25]          57.3847         4.9510        1.72916          54.67
[26]         -78.5120         0.1500
[27]          57.9260         3.6790        1.72916          54.67
[28]        1189.2800             Bf
［全体諸元］
撮影倍率          INF            1:2            1:1
f              102.00          90.96          74.14
Fno              2.91           4.38           5.83
2ω             24.23          15.60           9.34
［可変間隔］
撮影倍率          INF            1:2            1:1
d7             2.9848        10.9265        19.3071
d12           20.6415        12.6997         4.3191
d15           21.5703        11.5085         2.0427
d20            4.7317        14.7938        24.2591
Bf            55.0717        55.0716        55.0719
［条件式対応値］
実施例５
条件式（１）｜ｆＬ２ａ・ｆＬ２ｂ／ｆ２｜            0.526
条件式（２）｜ｆＬ３ａ／ｆＬ３ｂ｜                  0.382
条件式（３）νｄＬ２ａ                              29.50
条件式（４）ｎｄＬ３ｂｐｌ／ｎｄＬ３ｂｎｈ          0.957
条件式（５）νｄＬ３ｂｐｌ−νｄＬ３ｂｎｈ          21.40
【実施例６】
【００９４】
図５１は、本発明の実施例６に係るマクロレンズの構成を示す図である。この図５１のマクロレンズは、物体側から順に、フォーカシング時に像面に対して固定の正の屈折力の第１レンズ群Ｌ１と、フォーカシング時に像面に対して移動するレンズ群を含む第２レンズ群Ｌ２と、フォーカシング時に像面に対して固定の負の屈折力の第３レンズ群Ｌ３とから構成される。第１レンズ群Ｌ１は物体側から順に、両凸レンズ、両凸レンズと両凹レンズの接合レンズ、物体側に凸面を向けた凸メニスカスレンズから構成されている。第２レンズ群Ｌ２は、物体側から順に、フォーカシング時に移動する負の屈折力のＬ２ａレンズ成分Ｌ２ａと、開口絞りを備えてフォーカシング時に像面に対して固定の正の屈折力のＬ２ｂレンズ成分Ｌ２ｂと、フォーカシング時に移動する正の屈折力のＬ２ｃレンズ成分Ｌ２ｃと、フォーカシング時に移動する正の屈折力のＬ２ｄレンズ成分Ｌ２ｄから構成されている。Ｌ２ａレンズ成分Ｌ２ａは両凹レンズ、物体側に凸面を向けた凹メニスカスレンズ、両凹レンズと物体側に凸面を向けた凸メニスカスレンズの接合レンズから構成されている。Ｌ２ｂレンズ成分Ｌ２ｂは開口絞りＳＰと物体側に凸面を向けた平凸レンズで構成されている。Ｌ２ｃ成分Ｌ２ｃは両凸レンズで構成されている。Ｌ２ｄ成分Ｌ２ｄは両凸レンズと両凹レンズの接合レンズから構成されている。第３レンズ群Ｌ３は、光軸と直交方向に移動することによって像ブレの補正を行う負の屈折力のＬ３ａレンズ成分Ｌ３ａと正の屈折力のＬ３ｂレンズ成分Ｌ３ｂとから構成されている。Ｌ３ａレンズ成分Ｌ３ａは像側に凸面を向けた凸メニスカスレンズと両凹レンズの接合レンズで構成されている。Ｌ３ｂレンズ成分Ｌ３ｂは両凹レンズと両凸レンズの接合レンズ、両凸レンズから構成されている。
【００９５】
［レンズ諸元］
ｒ             ｄ            ｎｄ           νｄ
[1]          119.2450         4.6178        1.77250          49.62
[2]         -182.1400         0.1500
[3]           56.0853         6.5669        1.49700          81.61
[4]         -106.2860         1.2000        1.76182          26.61
[5]          109.1750         0.1500
[6]           48.7058         4.2725        1.59282          68.62
[7]          125.6400           可変
[8]         -326.8560         1.0000        1.54814          45.82
[9]           26.5680         2.6138
[10]          85.2954         0.8500        1.69895          30.05
[11]          48.6201         2.7469
[12]         -97.9381         1.0000        1.51680          64.20
[13]          31.5502         3.8379        1.84666          23.78
[14]         138.8000           可変
[15]         開口絞り         3.0000
[16]         102.4590         2.4092        1.80610          33.27
[17]             平面           可変
[18]         191.2160         3.6407        1.80420          46.50
[19]         -66.2397           可変
[20]          81.4977         5.2829        1.59282          68.62
[21]         -39.5951         1.0000        1.80518          25.46
[22]         530.5480           可変
[23]        -334.4120         3.1632        1.76182          26.61
[24]         -43.0115         0.8500        1.72916          54.67
[25]          43.0115         4.2059
[26]        -151.3220         2.2000        1.80610          33.27
[27]          60.2158         5.1041        1.58913          61.25
[28]        -233.1200         0.1500
[29]          60.0008         5.2825        1.71300          53.94
[30]        -270.0030             Bf
［全体諸元］
撮影倍率          INF            1:2            1:1
f              101.21          94.64          77.90
Fno              2.91           4.38           5.83
2ω             24.29          14.70           8.29
［可変間隔］
撮影倍率          INF            1:2            1:1
d7             3.3202        11.8673        20.7276
d14           20.0740        11.5269         2.6667
d17           21.5947        10.9217         1.7499
d19            0.5000         1.7803         1.6471
d22            5.5021        14.8947        24.1998
Bf            53.7058        53.7059        53.7059
［条件式対応値］
実施例６
条件式（１）｜ｆＬ２ａ・ｆＬ２ｂ／ｆ２｜            0.411
条件式（２）｜ｆＬ３ａ／ｆＬ３ｂ｜                  0.467
条件式（３）νｄＬ２ａ                              33.27
条件式（４）ｎｄＬ３ｂｐｌ／ｎｄＬ３ｂｎｈ          0.880
条件式（５）νｄＬ３ｂｐｌ−νｄＬ３ｂｎｈ          20.67
【符号の説明】
【００９６】
Ｌ１  第１レンズ群
Ｌ２  第２レンズ群
Ｌ３  第３レンズ群
Ｌ２ａ  Ｌ２ａレンズ成分
Ｌ２ｂ  Ｌ２ｂレンズ成分
Ｌ２ｃ  Ｌ２ｃレンズ成分
Ｌ２ｄ  Ｌ２ｄレンズ成分
Ｌ３ａ  Ｌ３ａレンズ成分
Ｌ３ｂ  Ｌ３ｂレンズ成分
ＳＰ  開口絞り
ＩＰ  像面
ｄ  ｄ線
ｇ  ｇ線
Ｃ  Ｃ線
ΔＳ  サジタル像面
ΔＭ  メリジオナル像面
【図１】
0005584064.tif 000002
【図２】
0005584064.tif 000003
【図３】
0005584064.tif 000004
【図４】
0005584064.tif 000005
【図５】
0005584064.tif 000006
【図６】
0005584064.tif 000007
【図７】
0005584064.tif 000008
【図８】
0005584064.tif 000009
【図９】
0005584064.tif 000010
【図１０】
0005584064.tif 000011
【図１１】
0005584064.tif 000012
【図１２】
0005584064.tif 000013
【図１３】
0005584064.tif 000014
【図１４】
0005584064.tif 000015
【図１５】
0005584064.tif 000016
【図１６】
0005584064.tif 000017
【図１７】
0005584064.tif 000018
【図１８】
0005584064.tif 000019
【図１９】
0005584064.tif 000020
【図２０】
0005584064.tif 000021
【図２１】
0005584064.tif 000022
【図２２】
0005584064.tif 000023
【図２３】
0005584064.tif 000024
【図２４】
0005584064.tif 000025
【図２５】
0005584064.tif 000026
【図２６】
0005584064.tif 000027
【図２７】
0005584064.tif 000028
【図２８】
0005584064.tif 000029
【図２９】
0005584064.tif 000030
【図３０】
0005584064.tif 000031
【図３１】
0005584064.tif 000032
【図３２】
0005584064.tif 000033
【図３３】
0005584064.tif 000034
【図３４】
0005584064.tif 000035
【図３５】
0005584064.tif 000036
【図３６】
0005584064.tif 000037
【図３７】
0005584064.tif 000038
【図３８】
0005584064.tif 000039
【図３９】
0005584064.tif 000040
【図４０】
0005584064.tif 000041
【図４１】
0005584064.tif 000042
【図４２】
0005584064.tif 000043
【図４３】
0005584064.tif 000044
【図４４】
0005584064.tif 000045
【図４５】
0005584064.tif 000046
【図４６】
0005584064.tif 000047
【図４７】
0005584064.tif 000048
【図４８】
0005584064.tif 000049
【図４９】
0005584064.tif 000050
【図５０】
0005584064.tif 000051
【図５１】
0005584064.tif 000052
【図５２】
0005584064.tif 000053
【図５３】
0005584064.tif 000054
【図５４】
0005584064.tif 000055
【図５５】
0005584064.tif 000056
【図５６】
0005584064.tif 000057
【図５７】
0005584064.tif 000058
【図５８】
0005584064.tif 000059
【図５９】
0005584064.tif 000060
【図６０】
0005584064.tif 000061
【図６１】
0005584064.tif 000062
【図６２】
0005584064.tif 000063